(57)【要約】  【課題】客観的な基準に基づいて短時間に正確なウェブページ変換性能を評価する技術を提供する。  【解決手段】所定の情報処理端末で表示可能な記述形式によって生成されたウェブページ１を、他の情報処理端末で表示可能な記述形式によって生成されたウェブページ２に変換したウェブページに基づいて、変換処理の性能を評価し、前記性能を評価するステップにおける評価結果３に基づいて、ウェブページ変換処理内容を変更する情報を生成する。【選択図】  図１
2005339163.tif 000002
【特許請求の範囲】
【請求項１】
所定の情報処理端末で表示可能なウェブページの記述形式を他の情報処理端末で表示可能な記述形式に変換したウェブページに基づいて、ウェブページの変換処理の性能を評価するステップと、
前記性能を評価するステップにおける評価結果に基づいて、前記変換するステップによるウェブページ変換処理内容を変更する情報を生成するステップと、をコンピュータに実行させる、ウェブページ変換評価プログラム。
【請求項２】
前記性能を評価するステップでは、
評価基準データベースに格納されるウェブページ変換評価基準と前記変換後のウェブページにおける文字情報及び画像情報の表示状態とを比較することによって、前記性能を評価する、請求項１に記載のウェブページ変換評価プログラム。
【請求項３】
前記性能を評価するステップでは、
前記変換後のウェブページ内の文字情報及び画像情報の表示結果と、前記変換前のウェブページ内の文字情報及び画像情報の表示結果とを予め定められた項目に基づいて比較して、前記性能を評価する、請求項１または２に記載のウェブページ変換評価プログラム。
【請求項４】
前記ウェブページ変換評価基準は、
前記文字情報及び画像情報の表示位置を特定するパラメータ情報と前記文字情報及び画像情報の表示可否を特定するエラー情報との少なくともいずれか一つである、請求項２または３に記載のウェブページ変換評価プログラム。
【請求項５】
所定の情報処理端末で表示可能なウェブページの記述形式を他の情報処理端末で表示可能な記述形式に変換したウェブページに基づいて、ウェブページの変換処理の性能を評価するステップと、
前記性能を評価するステップにおける評価結果に基づいて、前記変換するステップによるウェブページ変換処理内容を変更する情報を生成するステップと、をコンピュータが実行する、ウェブページ変換評価方法。
【請求項６】
前記性能を評価するステップでは、
評価基準データベースに格納されるウェブページ変換評価基準と前記変換後のウェブページにおける文字情報及び画像情報の表示状態とを比較することによって、前記性能を評価する、請求項５に記載のウェブページ変換評価方法。
【請求項７】
前記性能を評価するステップでは、
前記変換後のウェブページ内の文字情報及び画像情報の表示結果と、前記変換前のウェブページ内の文字情報及び画像情報の表示結果とを予め定められた項目に基づいて比較して、前記性能を評価する、請求項５または６に記載のウェブページ変換評価方法。
【請求項８】
前記ウェブページ変換評価基準は、
前記文字情報及び画像情報の表示位置を特定するパラメータ情報と前記文字情報及び画像情報の表示可否を特定するエラー情報との少なくともいずれか一つである、請求項６または７に記載のウェブページ変換評価方法。
【請求項９】
所定の情報処理端末で表示可能なウェブページの記述形式を他の情報処理端末で表示可能な記述形式に変換するウェブページ変換処理部と、
変換後のウェブページに基づいて、前記ウェブページ変換部の変換処理の性能を評価する変換評価部とを備えるウェブページ変換評価装置。
【請求項１０】
前記変換評価部の評価結果に基づいて、前記ウェブページ変換部によるウェブページ変換処理内容を構築するウェブページ変換処理改良部をさらに備える、請求項９に記載のウェブページ変換評価装置。
【請求項１１】
前記変換評価部が、
予め定められた評価基準データベースに格納されるウェブページ変換評価基準と前記変換後のウェブページの表示状態とを比較することによって、前記性能を評価する、請求項９または１０に記載のウェブページ変換評価装置。
【請求項１２】
前記変換評価部が、
前記変換後のウェブページ内の文字情報及び画像情報の表示結果と、前記変換前のウェブページ内の文字情報及び画像情報の表示結果とを予め定められた項目に基づいて比較して、前記性能を評価する、請求項９から１１のいずれかに記載のウェブページ変換評価装置。
【請求項１３】
前記ウェブページ変換評価基準は、
前記文字情報及び画像情報の表示位置を特定するパラメータ情報と前記文字情報及び画像情報の表示可否を特定するエラー情報との少なくともいずれか一つである、請求項１１または１２に記載のウェブページ変換評価装置。
【発明の詳細な説明】
【技術分野】
【０００１】
本発明は、ウェブページ変換処理を評価する技術に関する。
【背景技術】
【０００２】
従来から、一般のコンピュータなどの情報処理端末で表示可能なＨＴＭＬ（HyperText Markup Language）で記述されたウェブページを、携帯型電話機などのＨＴＭＬの表示が困難な情報処理端末で表示可能にするために、このウェブページの記述形式を変換する技術がある。
【０００３】
なお、本発明に関連する、ウェブページ変換に関連する技術（例えば、特許文献１及び２参照。）が開示されている。
【特許文献１】特開２００３−９１５２９号公報
【特許文献２】特開２００１−３４４１６９号公報
【特許文献３】特開２００３−２９６３５０号公報
【発明の開示】
【発明が解決しようとする課題】
【０００４】
しかしながら、従来のウェブページ変換技術において、その変換処理が適切に行われたか否かという変換処理性能の評価は、技術者が多数の変換前後のウェブページを比較して行っていた。このため、ウェブページ変換技術の性能の評価手順では、客観的な基準に基づいて短時間に正確な評価を行うことが困難であった。また、従来のウェブページ変換技術では、実施したウェブページ変換性能の評価を的確に反映して、ウェブページ変換技術の性能を向上させることが困難であった。
【０００５】
本発明は上記事項に鑑みて為されたものである。すなわち、本発明は、客観的な基準に基づいて短時間に正確なウェブページ変換性能を評価する技術を提供することを、解決すべき課題とする。また、本発明は、ウェブページ変換性能の評価を的確に反映してウェブページ変換性能を向上することができる技術を提供することを他の課題とする。
【課題を解決するための手段】
【０００６】
本発明は前記課題を解決するために、以下の手段を採用した。
【０００７】
すなわち、本発明は、所定の情報処理端末で表示可能なウェブページの記述形式を他の情報処理端末で表示可能な記述形式に変換したウェブページに基づいて、ウェブページの変換処理の性能を評価するステップと、前記性能を評価するステップにおける評価結果に基づいて、前記変換するステップによるウェブページ変換処理内容を変更する情報を生成するステップと、を備えることを特徴とする。
【０００８】
本発明は、変換後のウェブページに基づいてウェブページ変換処理の結果について評価をする。従って、本発明によれば、客観的な基準に基づいて短時間に正確なウェブページ変換性能を評価する技術を提供することができる。また、本発明は、ウェブページ変換性能の評価を的確に反映してウェブページ変換性能を向上することができる技術を提供することができる。
【０００９】
また、本発明は、前記性能を評価するステップでは、評価基準データベースに格納されるウェブページ変換評価基準と前記変換後のウェブページにおける文字情報及び画像情報の表示状態とを比較することによって、前記性能を評価することを特徴とする。
【００１０】
本発明は、予め定めた評価基準データベースに基づいて、変換後のウェブページの状態を判断する。従って、本発明によれば、客観的な基準に基づいて短時間に正確なウェブページ変換性能を評価する技術を提供することができる。また、本発明は、ウェブページ変換性能の評価を的確に反映してウェブページ変換性能を向上することができる技術を提供することができる。
【００１１】
また、本発明は、前記性能を評価するステップでは、前記変換後のウェブページ内の文字情報及び画像情報の表示結果と、前記変換前のウェブページ内の文字情報及び画像情報の表示結果とを予め定められた項目に基づいて比較して、前記性能を評価することを特徴とする。
【００１２】
本発明は、変換前のウェブページと変換後のウェブページとの状態を対比することで、ウェブページ変換処理の性能を評価する。従って、本発明によれば、客観的な基準に基づいて短時間に正確なウェブページ変換性能を評価する技術を提供することができる。また、本発明は、ウェブページ変換性能の評価を的確に反映してウェブページ変換性能を向上することができる技術を提供することができる。
【００１３】
さらに、本発明は、前記ウェブページ変換評価基準は、前記文字情報及び画像情報の表示位置を特定するパラメータ情報と前記文字情報及び画像情報の表示可否を特定するエラー情報との少なくともいずれか一つであることを特徴とする。
【００１４】
なお、本発明は、以上の何れかの機能を実現させるプログラムであってもよい。また、本発明は、そのようなプログラムをコンピュータが読み取り可能な記憶媒体に記録してもよい。また、本発明は、以上の何れかの機能を実現する装置であってもよい。さらに、本発明は、以上の何れかの機能を実現する通信端末であってもよい。
【発明の効果】
【００１５】
本発明によれば、客観的な基準に基づいて短時間に正確なウェブページ変換性能を評価する技術を提供するという、優れた効果を得ることができる。また、本発明は、ウェブページ変換性能の評価を的確に反映して性能を向上することができる技術を提供するという、優れた効果を得ることができる。
【発明を実施するための最良の形態】
【００１６】
以下、図面を参照して、本発明の好適な実施の形態に係るウェブページ変換評価装置の一例（以下、ウェブページ変換評価装置１００という）を、図面に基づいて説明する。本実施の形態において、ウェブページ変換評価装置１００は、本発明に係るウェブページ変換評価方法を実行する。
【００１７】
〈システム構成〉
図１は、本発明の実施の形態に係る、ウェブページ変換評価装置１００によるウェブページ変換評価処理の一例を示す概略図である。
【００１８】
なお、ウェブページ変換評価装置１００は、パーソナルコンピュータ(ＰＣ)，携帯情報端末（ＰＤＡ），携帯電話機，その他専用のコンピュータ等の各種コンピュータを用いて構成される。ウェブページ変換評価装置は、不図示のハードウェアとして、制御装置(Ｃ
ＰＵ，主記憶(ＲＡＭ等)，入出力ユニット，ＯＳ，デバイスドライバ等で構成される)，二次記憶(ハードディスク等)，通信制御装置(ネットワークインターフェイス装置等)を備えている。そして、ウェブページ変換評価装置は、ＣＰＵが二次記憶に格納されているウェブページ変換評価プログラムを主記憶にロードして実行することにより、ウェブページ変換評価方法の処理を実現する。
【００１９】
図１は、ウェブページ変換評価装置１００の構成及び処理内容を説明する図である。ウェブページ変換評価装置１００は、単独評価部１０１、比較評価部１０２、評価項目リスト１０３、比較項目リスト１０４、評価統合部１０５、及び変換処理改良部１０６を備える。ウェブページ変換評価装置１００は、ＨＴＭＬで記述されたウェブページ（以下、変換前のウェブページ１）を例えばＣＨＴＭＬ（Compact HTML）で記述されたウェブページ（以下、変換後のウェブページ２）に変換する、コンテンツ変換システムによるウェブページ変換処理を評価対象とする。すなわち、ウェブページ変換評価装置１００は、変換仕様に基づく予想の変換結果と実際の変換結果との比較による評価を行う。
【００２０】
単独評価部１０１及び比較評価部１０２は、本発明の変換評価部に対応する。単独評価部１０１は、変換後のウェブページ２について、コンテンツ変換処理の成否、具体的には画面表示時に画面の横幅に対応して画像情報が縮小されているか否かなどの項目を、予め定められた評価項目毎の基準に基づいて評価する。このとき、単独評価部１０１及び比較評価部１０２は、変換後のウェブページ２に対する評価を行う際に、評価項目リスト１０３に格納されている評価項目と評価基準に基づいて評価を行う。
【００２１】
単独評価部１０１及び比較評価部１０２は、コンテンツ変換処理の成否を、例えば、以下のように行う。すなわち、単独評価部１０１及び比較評価部１０２は、表示される文字データの表示位置、文字長、フォントなどのコードに基づいて、その文字データの表示長を特定する。そして、単独評価部１０１及び比較評価部１０２は、その変換後のコンテンツの文字データの表示長と、評価項目リスト１０３に格納される変換後のコンテンツの予想画面幅とから、この文字データが画面に表示可能か否かを判断する。
【００２２】
また、単独評価部１０１及び比較評価部１０２は、変換後のコンテンツにおける画像データの表示の欠落や移動を判断する際に、例えば、変換後のコンテンツをブラウザに出力すると画像データが表示不可能な場合に発生する、いわゆるエラーコードの有無を確認する。
【００２３】
また、単独評価部１０１及び比較評価部１０２は、変換後のコンテンツにおける画像データや文字データの表示位置の変化を判断する際に、例えば、その画像データや文字データの表示位置のパラメータに基づいて、評価項目リスト１０３に格納される予想画面表示位置のパラメータと対比する。
【００２４】
図２は、ウェブページ変換評価装置１００が評価対象とするウェブページ変換処理の成功例を示す図である。図２において、変換後のウェブページ２０は、変換前のウェブページ１０と比較すると、画面のサイズ（横幅など）に応じて、ユーザが表示内容を認識可能な状態で文字情報及び画像情報が表示されている。
【００２５】
図３は、ウェブページ変換評価装置１００が評価対象とするウェブページ変換処理の失敗例を示す。図３において、変換後のウェブページ２２は、変換前のウェブページ１２と比較すると、変換前の画像情報１２ａが正しく変換されずに画像情報２２ａとなっている。このため、変換後のウェブページ２２において、画像情報２２ａは、画面の横幅をはみ出した形に生成されている。このようなウェブページ変換処理について、ウェブページ変換評価装置１００は、単独評価部１０１によって画面の横幅が縮小されているか否か、あ
るいは画面の横幅が文字情報画像情報毎にそろっているか否かの基準に基づいたコンテンツ変換システムの評価を行う。ウェブページ変換評価装置１００によれば、このようなウェブページ変換処理は、画面の横幅がそろっていないため、コンテンツ変換システムの評価が「否」となる。
【００２６】
比較評価部１０２は、変換前のウェブページ１と変換後のウェブページ２とを予め定められた比較項目（例えば、表示位置のパラメータなど）に従って比較して、変換処理の評価を行う。比較評価部１０２は、変換後のウェブページ２について、例えば、文字情報または画像情報の欠落、崩壊、及び重なりの有無を判定する。このとき、比較評価部１０２は、比較項目リスト１０４に格納されている比較項目と比較基準に基づいて評価を行う。
【００２７】
図４は、ウェブページ変換評価装置１００が評価対象とするウェブページ変換処理の失敗例を示す。図４において、変換後のウェブページ２１の文字情報２１ａは、変換前のウェブページ１１の文字情報１１ａと比較して、文字が重複して表示されてしまっている。このようなウェブページ変換処理は、比較評価部１０２が比較項目リスト１０４に格納されている比較項目によって、ウェブページ変換処理結果が「否」と評価される。
【００２８】
評価統合部１０５は、単独評価部１０１及び比較評価部１０２が行った評価を統合して、コンテンツ変換システムに対する評価結果３を算出する。
図５は、評価統合部１０５が算出した評価結果３の一例を示す。この評価結果３には、変換の成否、横幅が揃っているか否か、動画の表示状態、画面フレームの状態、文字情報及び画像情報の欠落、文字情報及び画像情報の崩壊（崩れ）、文字情報及び画像情報の重なり（重複）の有無が評価項目として示されている。この評価結果３において、正しく変換されている項目は丸印がされ、正しく変換されていない項目はバツ印がされている。このように、ウェブページ変換評価装置１００が算出した評価結果によれば、ウェブページ変換処理の性能を客観的な基準に基づいて短時間に算出することが可能となる。
【００２９】
変換処理改良部１０６は、算出された評価結果３に基づいて、コンテンツ変換システム２００の設定を変更する情報を生成する。このとき変換処理改良部１０６は、例えば変換後のウェブページに画像情報の重なりがあった場合には、画像情報の表示位置を調整するような変更情報をコンテンツ変換システム２００の設定データベース２０１に送信する。このようなウェブページ変換処理の改良に必要な情報を生成することによって、ウェブページ変換評価装置１００は、ウェブページ変換性能の評価を的確に反映して性能を向上することができる技術を提供することができる。
【図面の簡単な説明】
【００３０】
【図１】本発明の実施の形態に係る、ウェブページ変換評価装置によるウェブページ変換評価処理の一例を示す概略図である。
【図２】ウェブページ変換評価装置が評価対象とするウェブページ変換処理の成功例を示す図である。
【図３】ウェブページ変換評価装置が評価対象とするウェブページ変換処理の失敗例を示す図である。
【図４】ウェブページ変換評価装置が評価対象とするウェブページ変換処理の失敗例を示す図である。
【図５】評価統合部が算出した評価結果の一例を示す図である。
【符号の説明】
【００３１】
１  変換前のウェブページ
２  変換後のウェブページ
３  評価結果
１０  変換前のウェブページ
１１  変換前のウェブページ
１１ａ  文字情報
１２  変換前のウェブページ
１２ａ  画像情報
２０変換後のウェブページ
２１  変換後のウェブページ
２１ａ  文字情報
２２  変換後のウェブページ
２２ａ  画像情報
１００  ウェブページ変換評価装置
１０１  単独評価部
１０２  比較評価部
１０３  評価項目リスト
１０４  比較項目リスト
１０５  評価統合部
１０６  変換処理改良部
２００  コンテンツ変換システム
２０１  設定データベース
【図１】
2005339163.tif 000003
【図２】
2005339163.tif 000004
【図３】
2005339163.tif 000005
【図４】
2005339163.tif 000006
【図５】
2005339163.tif 000007